(57)【要約】【課題】電源状態に基づいて所望の機能を自動的に制限することによって消費電力を低減し、使用可能時間を延長することができる電子装置を提供する。【解決手段】本発明の電子装置は、実行する機能を制限する省電力モードに設定する手段と、省電力モードにおいて実行を制限する機能を指定する省電力指定情報を作成する手段と、電源状態を監視する電源監視手段とを備え、電源状態の監視結果と省電力指定情報に基づき省電力モードの設定を行う。【選択図】      図５
2006352479.tif 000002
【特許請求の範囲】
【請求項１】
複数の機能を実行する手段と、前記複数の機能のうちの一部の機能の実行を制限する省電力モードに設定する手段を備えた電子装置であって、電源の状態（電源状態）を監視する電源監視手段と、前記実行を制限する機能を指定する省電力指定情報を作成する手段と、前記電源状態の監視結果及び前記省電力指定情報に基づき前記省電力モードの設定を行う手段を備えた電子装置。
【請求項２】
電池を前記電源とする手段と、前記電池の残量を前記電源状態として監視する電源監視手段を備えた請求項１記載の電子装置。
【請求項３】
前記電源の電圧（電源電圧）と所定の判定基準電圧との比較結果に基づき前記電源状態を監視する電源監視手段を備えた請求項１又は２のいずれかに記載の電子装置。
【請求項４】
前記実行を制限する機能が異なる複数の前記省電力モードのうちの１つの省電力モードに設定する手段と、前記電源電圧と、値が異なる複数の前記判定基準電圧との比較結果に基づき前記電源状態を複数の状態に判別する電源監視手段を備えた請求項３記載の電子装置。
【請求項５】
前記電源電圧と、前記実行が制限される機能ごとに設定された前記判定基準電圧との比較結果に基づき前記電源状態を監視する電源監視手段を備えた請求項３又は４のいずれかに記載の電子装置。
【請求項６】
前記実行が制限される機能を、前記電源状態に基づき表示する手段を備えた請求項５記載の電子装置。
【請求項７】
前記電源電圧が前記判定基準電圧を下回ったとき前記電源状態が所定の状態に移行したと判定し、前記電源電圧が前記判定基準電圧よりも所定の電圧だけ高い第２の判定基準電圧を上回ったとき前記電源状態が前記所定の状態から脱したと判定する電源監視手段を備えた請求項３乃至６のいずれかに記載の電子装置。
【請求項８】
複数の前記省電力指定情報を作成する手段と、前記電源状態の監視結果、及び前記複数の省電力指定情報から選択した省電力指定情報に基づき前記省電力モードにおいて実行を制限する機能を決定する手段を備えた請求項１乃至７のいずれかに記載の電子装置。
【請求項９】
前記省電力モードにおいて制限された機能の実行が指示されたとき、所定の警告表示を行う手段を備えた請求項１乃至８のいずれかに記載の電子装置。
【請求項１０】
前記省電力モードの設定を許可又は禁止する手段と、前記省電力モードの設定が許可されているとき所定の表示を行う手段を備えた請求項１乃至９のいずれかに記載の電子装置。
【請求項１１】
実行を制限する機能を指定する省電力指定情報を作成するステップと、電源の状態（電源状態）を監視するステップと、前記省電力指定情報及び前記電源状態の監視結果に基づき、一部の機能の実行を制限する省電力モードの設定を行うステップを備えた電子装置の制御方法。
【請求項１２】
電源として用いる電池の残量を前記電源状態として監視するステップを備えた請求項１１記載の電子装置の制御方法。
【請求項１３】
前記電源の電圧（電源電圧）と所定の判定基準電圧との比較結果に基づき前記電源状態を監視するステップを備えた請求項１２記載の電子装置の制御方法。
【請求項１４】
前記実行を制限する機能が異なる複数の前記省電力モードのうちの１つの省電力モードに設定するステップと、前記電源電圧と、値が異なる複数の前記判定基準電圧との比較結果に基づき前記電源状態を複数の状態に判別するステップを備えた請求項１３記載の電子装置の制御方法。
【請求項１５】
前記電源電圧と、前記実行が制限される機能ごとに設定された前記判定基準電圧との比較結果に基づき前記電源状態を監視するステップを備える請求項１３又は１４のいずれかに記載の電子装置の制御方法。
【請求項１６】
前記実行が制限される機能を、前記電源電圧に基づき表示するステップを備えた請求項１５記載の電子装置の制御方法。
【請求項１７】
前記電源電圧が前記判定基準電圧を下回ったとき前記電源状態が所定の状態に移行したと判定するステップと、前記電源電圧が前記判定基準電圧よりも所定の電圧だけ高い第２の判定基準電圧を上回ったとき前記電源状態が前記所定の状態から脱したと判定するステップを備えた請求項１３乃至１６のいずれかに記載の電子装置の制御方法。
【請求項１８】
複数の前記省電力指定情報を作成するステップと、前記電源状態の監視結果、及び前記複数の省電力指定情報から選択した省電力指定情報に基づき前記省電力モードにおいて実行を制限する機能を決定するステップを備えた請求項１１乃至１７のいずれかに記載の電子装置の制御方法。
【請求項１９】
前記省電力モードにおいて制限された機能の実行が指示されたとき、所定の警告表示を行うステップを備えた請求項１１乃至１８のいずれかに記載の電子装置の制御方法。
【請求項２０】
前記省電力モードの設定を許可又は禁止するステップと、前記省電力モードの設定が許可されているとき所定の表示を行うステップを備えた請求項１１乃至１９のいずれかに記載の電子装置の制御方法。
【発明の詳細な説明】
【技術分野】
【０００１】
本発明は、消費電力の異なる複数のモードを備えた電子装置に関し、特に電池残量等の電源の状態に従ってモードを設定する電子装置に関する。
【背景技術】
【０００２】
昨今の携帯電話は、通話機能の他に、カメラや、ゲームその他のアプリケーション・プログラムなど、多くの機能を搭載しており、通話以外の用途が増加している。そのため、消費電力の増加が著しく、実際に使用可能な時間は短くなっている。また、表示の高精細化も電力の消費を増大させ、使用可能時間を減少させる要因となっており、使用可能時間は今後もますます短くなると予想される。
【０００３】
ユーザによる使用可能時間の延長対策として、表示の明るさの設定を調整したり、マナーモードに設定して音を鳴動させないように設定する方法がある。しかし、毎度の設定操作は面倒であり、設定する前に電池残量が不足し機能が停止してしまう可能性もある。
【０００４】
従来の技術では、電池の残量が少なくなってきた場合に、段階的に機能を制限する携帯端末装置がある。この携帯端末装置は、電池残量が少なくなったときに、まずグラフィック表示機能を停止し、さらに電池残量が少なくなったときには、映像表示を停止し音声信号の出力のみ可能とするものである。（例えば、特許文献１参照。）。
【０００５】
また、装置が備える機能ごとにモードを設定することができる携帯電話も記載されている（例えば、特許文献２参照。）。この携帯電話では、携帯電話機が備える複数の機能の動作モードを一括して設定することができる。従って、消費電力の抑制などのために各機能の動作モードの設定を行う場合、その設定を一括して行うことができる。
【０００６】
【特許文献１】特開２００４−３３６３３０号公報  （第７頁、図３）
【特許文献２】特開２００３−２５８９７８号公報  （第５頁、図３）
【発明の開示】
【発明が解決しようとする課題】
【０００７】
上記の各公知技術にはそれぞれ問題がある。
【０００８】
特許文献１の技術では、電池残量が少なくなったときに制限される機能や制限される順序が固定されている。前述のように、現在の携帯端末装置は機能が豊富であり、それらの機能の中には、使用する場面によって制限が可能な機能と制限が不可能な機能が存在する。例えば、ゲームを楽しむ場面では、通話やメール送受信関係の機能は制限してもよいが、グラフィック表示機能を制限し通話機能を維持しても意味を成さない。
【０００９】
従って、電池残量が少なくなったときに制限する機能は、ユーザが指定できることが望ましいが、特許文献１の技術ではそれに対応することができない。
【００１０】
さらに、機能を制限する場合でも、その機能を完全に停止するのではなく、設定するパラメータを制限し使い勝手を犠牲にするだけで機能の動作自体は維持し、消費電力を低下させることも有効である。特許文献１の技術はこの要請にも応えることができない。
【００１１】
一方、特許文献２記載の技術では、設定するモードを機能ごとに指定することができる。しかし、指定したモードは無条件に設定されるものであり、何らかの条件に応じて自動的に設定されたり、変更されたりするものではない。
【００１２】
従って、電池残量に応じてモード設定を変更することによって消費電力を低減する、という動作を実現することはできない。
【００１３】
このように、従来の技術では、電池残量等、電源の状態に応じて、機能の一部をユーザの指定に従い制限することにより消費電力を低減し、使用可能時間を延長するという効果を得ることはできない。
（発明の目的）
本発明は上記のような技術的課題に鑑みて行われたもので、ユーザの指定に従い、機能の一部を電源の状態に基づき自動的に制限し、消費電力を低減することができる電子装置を提供することを目的とする。
【課題を解決するための手段】
【００１４】
本発明の電子装置は、複数の機能を実行する手段と、複数の機能のうちの一部の機能の実行を制限する省電力モードに設定する手段と、電源の状態（電源状態）を監視する電源監視手段と、実行を制限する機能を指定する省電力指定情報を作成する手段と、電源状態の監視結果及び省電力指定情報に基づき省電力モードの設定を行う手段を備える。本発明の電子装置は、電池を電源とし、電池の残量を電源状態として監視してもよい。
【００１５】
本発明の電子装置は、電源の電圧（電源電圧）と所定の判定基準電圧との比較結果に基づき電源状態を監視してもよい。このとき、実行を制限する機能が異なる複数の前記省電力モードのうちの１つの省電力モードに設定する手段と、電源電圧と、値が異なる複数の判定基準電圧との比較結果に基づき電源状態を複数の状態に判別してもよい。
【００１６】
本発明の電子装置は、電源電圧と、実行が制限される機能ごとに設定された判定基準電圧との比較結果に基づき電源状態を監視してもよい。このとき、実行が制限される機能を、電源状態に基づき表示してもよい。
【００１７】
本発明の電子装置は、電源電圧が判定基準電圧を下回ったとき電源状態が所定の状態に移行したと判定し、電源電圧が判定基準電圧よりも所定の電圧だけ高い第２の判定基準電圧を上回ったとき電源状態が所定の状態から脱したと判定してもよい。
【００１８】
本発明の電子装置は、複数の省電力指定情報を作成する手段と、電源状態の監視結果、及び複数の省電力指定情報から選択した省電力指定情報に基づき省電力モードにおいて実行を制限する機能を決定してもよい。
【００１９】
本発明の電子装置は、省電力モードにおいて制限された機能の実行が指示されたとき、所定の警告表示を行ってもよい。
【００２０】
本発明の電子装置は、省電力モードの設定を許可又は禁止する手段と、省電力モードの設定が許可されているとき所定の表示を行ってもよい。
【発明の効果】
【００２１】
本発明の電子装置は、装置が備える機能のうち、ユーザが指定した機能を、電源の状態に基づき自動的に制限することによって消費電力を低減し、装置の使用可能時間を延長することができるという効果がある。
【発明を実施するための最良の形態】
【００２２】
次に本発明の実施の形態について図面を参照して詳細に説明する。図１は本発明を実施するための最良の形態を示すブロック図である。図２は省電力モード時の機能の制限内容を指定する省電力指定情報の一例を示す図である。図３は省電力指定情報の設定画面の一例である。図４は電池の電圧の時間的変化を示すグラフである。図５は最良の実施形態の動作を示すフローチャートである。
【００２３】
図１から図５を用いて、本発明を実施するための最良の形態について説明する。本実施形態は一般的なカメラ付き携帯電話への本発明の適用例で、図１はその携帯電話のブロック図である。本携帯電話は、電波を送受信するアンテナ１、無線送受信回路を有する無線部２、無線部２が送受信する信号を処理する信号処理部３を備える。受信した通話音声はスピーカ４から出力される。マイク５から入力された音声信号は、信号処理部３で処理され、無線部２から送信される。スピーカ４はキー操作を確認するボタン確認音、着信メロディなど、通話音声以外の音も出力する。また、各種操作を行うためのキー操作部６、着信中であることなどをイルミネーションで知らせるためのランプ７、着信を知らせるためのバイブレータ８、各種情報を表示するＬＣＤ表示部９を備える。ＬＣＤ表示部９はバックライト１０からの光により輝度を変えることができる。さらに、画像撮影用の受光素子、光学系などを含むカメラ部１１を備えている。装置全体の動作の制御及び各種の一般的な情報の記憶等は制御部１２が制御する。
【００２４】
上記の機能は一例であり、すべてを備える必要はない。また、同じ機能を別の方法で実現してもよい。例えば、ＬＣＤ表示部９は他の構造のディスプレイであってもよい。さらに上記の機能以外に、別の機能を加えてもよい。
【００２５】
電池電圧測定部１３は、本携帯電話全体の駆動源である電池１４の電源電圧（以降、「電池電圧」という。）を測定し、電池電圧情報１５として制御部１２へ出力する。
【００２６】
制御部１２は、電池電圧情報１５に基づき、電池電圧が低くなったときに本携帯電話を「省電力モード」に設定する。「省電力モード」とは、本携帯電話が備える機能の一部を制限するモードである。「機能」とは、装置が備える入出力や処理等の働きである。例えば、イルミネーションの点灯、ＬＣＤ表示部による表示、バックライトの点灯などが「機能」に該当する。
【００２７】
「機能の制限」とは、機能を使用禁止にして停止させたり、機能の動作時間の上限を設定したり、間欠的に動作させたりすることなどを意味する。一般に、ある機能を停止、あるいは動作時間を短くするとその機能の消費電力は低下する。上記の「機能」の例では、バックライトの間欠的な点灯、輝度の低下などにより省電力化が可能となる。このように、何らかの制限によって本携帯電話の消費電力が低下するような効果が得られる制限はすべて、本発明における「機能の制限」に該当する。停止させても消費電力が低下しない機能や停止させるとその後復帰できなくなるような機能は、本発明における「機能の制限」の対象とはしない。
【００２８】
省電力指定部１６は、省電力モードにおける、機能の制限内容を指定する省電力指定情報を記憶している。省電力指定情報の例を図２に示す。ここでは、携帯電話の一般的な機能のうち、機能の制限により省電力化可能なもの９種類について、制限内容を指定している。機能制限は、９種類すべての機能について行う必要はなく、選択した機能のみ制限すればよい。図２の例では、着信イルミネーション、バックライト照明時間、着信メロディについては制限機能としては非選択なので、「通常モード」時と同じ機能を動作させることができる。
【００２９】
なお、電池残量が十分で機能を制限する必要がない状態である「通常モード」においても機能の制限をすることは省電力化のために有効である。「通常モード」での機能制限は一般的な携帯電話に備えられている機能である。本発明においても、「通常モード」での機能制限を行ってよい。
【００３０】
図３は省電力指定情報の設定画面例である。機能ごとに左端にチェック欄１７が設けられており、制限対象として選択する機能にはチェックする。ここでは、バイブレータ、バックライト輝度、ＬＣＤ表示時間、ボタン確認音、ゲームソフトが、制限対象となっている。制限時、又は非制限時の機能の状態は、右端の設定状態欄１８に表示される。例えば、バイブレータのチェック欄１７はチェックされているので、設定状態欄１８は「ＯＦＦ」の表示となっている。着信イルミネーションのチェック欄１７はチェックされていないので、設定状態欄１８は「ＯＮ」の表示となっている。このような表示方法により、ユーザは各機能の設定状態を一覧で確認することができる。
【００３１】
なお、設定状態欄１８には、省電力モード時における機能の制限状態を表示するようにしてもよい。このときは、ユーザは機能制限した場合の制限内容を確認することができるので、チェックするかどうかの判断を容易にすることができる。
【００３２】
本実施形態の動作について、図４、図５を用いて説明する。図４は本携帯電話の電池１４の電池電圧の時間的変化を示すグラフである。携帯電話が動作し電力を消費すると電池残量は減少し、電池電圧は低下する。電池１４を充電すると電池残量が回復し、電池電圧は上昇する。
【００３３】
なお、電池１４は二次電池を想定しているが、一次電池、燃料電池、太陽電池等、その他の種類の電池であってもよい。携帯電話を使用することによるエネルギーの消費、あるいは高負荷時の電力供給能力の不足、電池の劣化などによる、継続的、又は一時的な電池電圧の低下を起こす電池すべてが本発明の対象となる。
【００３４】
本携帯電話の電池残量の判定は、制御部１２が電池電圧情報１５と所定の判定基準電圧とを比較することによって行う。すなわち、電池電圧が判定基準電圧ＶＨ以上のときは電池残量は十分に多いと判断する。このとき、制御部１２は本携帯電話を「通常モード」に設定する。ＶＨより低い判定基準電圧ＶＬ以上のときは電池残量がやや減少していると判断し、「省電力モード」に設定する。ＶＬより低いときは電池残量が非常に少なく、携帯電話は安定した動作ができないと判断し、「停止モード」に設定する。
【００３５】
「通常モード」は携帯電話の全機能が制限なく使用できるモードである。「停止モード」ではすべての機能は停止する。「省電力モード」では、省電力指定情報に基づき、各機能は制限される。
【００３６】
なお、ＶＨ、ＶＬの値をユーザが変更できるようにしてもよい。
【００３７】
以上は電池電圧が単調に低下していく場合の説明である。電池１４が充電され電池電圧が回復していくときや、充電を中断するなどして途中で電池電圧が上下した場合も、上記の電池電圧範囲に基づき、動作モードを選択する。
【００３８】
モードを選択する基準となる上記の判定基準電圧ＶＨ、ＶＬの取り扱い方は限定されない。例えば、「ＶＨ以上」は「ＶＨより高い」でもよい。また、電池電圧を複数回測定し、その結果に基づき判定することによってノイズ等による変動の影響を取り除くような処理を備えてもよい。例えば、電池電圧を複数回測定し、所定の回数だけ連続して電圧が所定範囲に入ったことを確認し、モードを選択する等の方法がある。
【００３９】
図５は本実施形態の動作を示すフローチャートである。まず初めに、電池残量を判定するために、電池電圧がＶＨ以下かどうかを確認する（Ｓ１）。電池電圧がＶＨ以下のときは、さらにＶＬ以下かどうかを確認する（Ｓ２）。電池電圧がＶＬ以下のときは、電池残量が非常に少ないと判断し、「停止モード」への移行を選択する。「停止モード」に移行し全機能を停止する直前には、ＬＣＤ表示部９に電池１４を充電するようにアラーム表示を行う（Ｓ３）。電池１４が１次電池等、交換が必要な電池の場合には交換を要求するアラーム表示を行えばよい。アラーム表示を行った後、すべての機能は停止する（Ｓ４）。
【００４０】
Ｓ２で電池電圧がＶＬより高いときは、「省電力モード」へ移行する。このとき、省電力指定部１６の省電力設定情報に基づき、各機能の動作状態、パラメータを設定する。前述のように、機能制限が非選択になっている機能は、「通常モード」のときの設定のまま維持する。
【００４１】
以上の説明では、電池残量の測定方法は電池電圧に基づき判定することとしたが、電池残量の測定方法は特に限定されない。上記のように電池電圧を用いてもよいし、消費電流に基づき測定してもよい。消費電流に基づく方法は、例えば、電流値を時間で積分した値や、所定の間隔で測定した電流値の累積値を用いる方法がある。
（最良の実施形態の効果）
以上のような実施形態により、本携帯電話は、電池残量が少なくなったときに省電力モードに設定され、予め選択した機能が制限される。それにより、携帯電話としての消費電力が小さくなるので、携帯電話を使用できる時間が長くなるという効果がある。
【実施例１】
【００４２】
最良の実施形態における「省電力モード」は、「通常モード」と「停止モード」の中間のモードとして設定されるモードである。さらに、「省電力モード」は、電池残量により、複数の段階に分けることができる。
【００４３】
図６は電池電圧の時間的変化の例である。図４と異なり、判定基準電圧ＶＨ、ＶＬに加え、ＶＨとＶＬの中間の電圧である判定基準電圧ＶＭを用いている。そして、電池電圧がＶＨ以上のときは携帯電話は「通常モード」となり、ＶＨより低くＶＭ以上のときは「省電力モード１」、ＶＭより低くＶＬ以上のときは「省電力モード２」、ＶＬより低いときは「停止モード」となる。「通常モード」、「停止モード」の状態は最良の実施形態で記載した状態と同じである。
【００４４】
「省電力モード１」及び「省電力モード２」では、各々に対応した省電力指定情報に基づき、各機能を制限する。複数段階の「省電力モード」を備える場合、各「省電力モード」で制限する機能を段階的に設定することができる。例えば、バックライト１０の点灯時間を、「省電力モード１」では「通常モード」時より１段階短くし、「省電力モード２」ではさらに短くするといった設定方法が可能である。このように、「省電力モード２」では「省電力モード１」よりも動作できる機能、又は設定できるパラメータの範囲を制限する。実際に設定する値は同じであってもよいが、選択の幅は「省電力モード２」の方を狭くするのが望ましい。
【００４５】
電池残量の表示が３段階となっている携帯電話では、フル充電状態を「通常モード」、１つ低下した段階では「省電力モード１」、２つ低下し電池残量が残り少ない状態では「省電力モード２」とすればよい。もちろん、電池残量の表示とは別個に判定基準電圧を定めてモードを選択してもよい。さらに、機能ごとに異なる判定基準電圧を設定してもよい。「省電力モード」の段階は、２段階に限定されるものではなく、任意の数の段階に分けてよい。
【００４６】
図７は本発明の第１の実施例の省電力設定情報の例を示すもので、「省電力モード１」、「省電力モード２」に対応している。「省電力モード許可」という欄は、「省電力モード１」、「省電力モード２」のそれぞれを適用するかどうかのチェック欄である。図７の例では「省電力モード１」のみがチェックされているので、「省電力モード２」は設定されない。つまり、電池電圧がＶＨを下回ったときに「省電力モード１」に設定されるが、さらに電池電圧が低下しＶＭを下回っても「省電力モード２」は設定されない。電池電圧がＶＬを下回るまで低下すると「停止モード」に設定される。
【００４７】
なお、「省電力モード１」、「省電力モード２」ともに選択、あるいは非選択としてもよい。あるいは、「省電力モード許可」の欄を設けずに、常に「省電力モード１」、「省電力モード２」とも設定されるように固定してもよい。
【００４８】
図７の省電力設定画面の例では、機能ごと、「省電力モード」ごとに、選択肢が表示されている。「省電力モード２」では選択肢が狭まっており、例えば、バックライト照明時間では６０秒の設定はできない。「省電力モード２」では１種類の制限状態となる機能も存在し、例えば、バイブレータ機能は「ＯＦＦ」のみとなっており、選択の変更はできない。このように選択の余地がない項目は括弧で囲んで表示している。
【００４９】
ユーザが指定した内容にはアンダーラインが表示され、指定内容が確認できるようになっている。例えば、「省電力モード」１での着信イルミネーションは、「ＯＮ」が選択されている。
（第１の実施例の効果）
第１の実施例によると、「省電力モード」を複数段階備えることにより、電池残量の減少に伴って、順に機能を制限していくことができる。そして、省電力モード設定画面では、各「省電力モード」で選択可能な制限内容を表示する。これにより、段階的な機能制限の設定が容易となる。このように、第１の実施例では、使用性を保ったまま、効率的に使用可能時間を延長することができる。
【実施例２】
【００５０】
前述のように、「通常モード」、「省電力モード」、「停止モード」を区別する基準の電池電圧ＶＨ、ＶＬを機能ごとに変えることもできる。その場合、消費電力の大きい機能を早めに「省電力モード」に移行させ、消費電力の小さい機能は「停止モード」直前まで「通常モード」を保つ、といった制御が可能となる。機能ごとにＶＨ、ＶＬを設定した場合は、ある時点において、機能Ａは「省電力モード」に設定されているが、機能Ｂは「通常モード」のままというような状態も起きることになる。
【００５１】
そこで、ある時点において各機能に設定されている制限内容を表示したり、「省電力モード」に設定したときの各機能の制限範囲を表示することが有効となる。第２の実施例では、その時点の電池電圧に基づき、省電力モード設定画面における選択肢のリストの表示内容を変更している。
【００５２】
図８は電池電圧の時間的変化を示すグラフで、「通常モード」と「省電力モード」間の移行を行う電圧の判定基準電圧ＶＨを、機能Ａと機能Ｂで、ＶＨａ、ＶＨｂのように区別している。電池電圧がＶＨａを下回ると機能Ａは「省電力モード」に設定され、ＶＨｂを下回ると機能Ｂが「省電力モード」に設定される。従って、図８のＴ１及びＴ２の期間では、機能Ａは「省電力モード」に設定されるが（機能Ａは「省電力モード」が有効に設定されているものとする。）、機能Ｂは「通常モード」のままである。
【００５３】
図９は第２の実施例における、省電力指定情報の設定画面の例である。より高い電池電圧で「省電力モード」に設定される機能Ａには、バックライト輝度、ＬＣＤ表示時間、カメラが割り当てられている。設定画面上では、機能の名称の後に「（Ａ）」を追加して表示している。その他はすべて機能Ｂに割り当てられているものとする。
【００５４】
このとき、「通常モード」時は、図９（ａ）のように、全機能は機能制限を受けていないので、設定できる選択肢は最大の範囲になっている。しかし、図８のＴ１又はＴ２の期間では、機能Ａのみ「省電力モード」に設定されるので、図９（ｂ）のような表示となる。このように、機能Ａに割り当てられている機能では、選択肢の数が減少している。例えば、バックライト輝度は「省電力モード」時には自動的にレベル２となり、ユーザが選択する余地はなくなっている。ＬＣＤ表示時間については、５分又は１分のみが選択可能で、１０分は選択できない。
【００５５】
このように、設定可能な「省電力モード」時の制限内容を、そのときの電池残量に応じて表示することができる。
【００５６】
なお、機能Ａ及び機能Ｂの個数及び選定する機能、ＶＨａ、ＶＨｂの値及び上下関係は任意である。
（第２の実施例の効果）
第２の実施例によると、「省電力モード」を選択する基準の電池残量を機能ごとに変えることができるので、各機能の消費電力の大小に基づき「省電力モード」への移行時期を緻密に制御することができる。この制御により、使用性を保ったまま、効率的に使用可能時間を延長することができる。
【００５７】
また、各機能の制限内容をそのときの電池残量に応じてリアルタイムに表示するので、その時点での制限の有無及び制限内容を知ることができる。そのため、その時点で設定可能な制限内容をユーザが容易に認識することができる。
【実施例３】
【００５８】
図４、図６の電池電圧の時間的変化のグラフでは、電池電圧は単調に低下、又は上昇するものとして表示している。携帯電話が動作することによるエネルギー消費に伴う電池電圧の低下、充電による上昇のように、分、時間のオーダーの長期的な電池電圧の変動については単調であると考えてよい。
【００５９】
しかし、実際には、電池電圧は、マイクロ秒、ミリ秒のオーダーという短期的視点で見ると、各機能の動作状態、処理状態による負荷電流の変化やノイズ等の影響のために激しく変動する。従って、電池電圧と判定基準電圧とを比較する際に、電池電圧の短期的変動を考慮することが有効である。特に、「停止モード」ではすべての機能を停止させるので、短時間だけ「停止モード」に入り、すぐに「省電力モード」に復帰するというような不安定な動作が生じないように対策する必要がある。
【００６０】
第３の実施例は、制御部１２の電池残量判定方法を、電池電圧に生じる短期的変動に対応することができるようにしたものである。図１０は電池電圧に短期的変動が含まれるときの、電池電圧の時間的変化のグラフである。
【００６１】
第３の実施例では、制御部１２内の電池電圧の比較はヒステリシスを持って行う。そのために、「省電力モード」への設定と「停止モード」への設定を区別するための電池電圧の判定基準電圧は、ＶＬ１に加え、第２の判定基準電圧ＶＬ２も備えている。制御部１２は、電池電圧がＶＬ１を下回れば「停止モード」へ設定し、次にＶＬ２を上回るまで、「省電力モード」には復帰しないようにする。これにより、ヒステリシス幅（ＶＬ２とＶＬ１の電圧差）より小さな電圧変動が電池電圧に生じても、安定して判定を行うことができる。
【００６２】
ヒステリシス幅は、短期的変動では生じないノイズの電圧幅より大きく設定する必要がある。さもなければ、電池電圧がＶＨ２よりわずかに高いときにノイズが発生すると、短期間だけ、ＶＨ１より下回ったものと判断され、ヒステリシスを持った比較を行う効果が生じない。
【００６３】
ヒステリシス幅の決定方法は本発明の趣旨に関係しないので、方法は特に限定しない。例えば、ノイズの電圧幅を実験的に求め、ノイズ電圧幅に適当な余裕を持つような値に設定すればよい。
【００６４】
また、上記で時間の長短を示すために用いた「長期的」、「短期的」という表現は、具体的に時間を限定するものではない。携帯電話のモード変更が安定して行われるように、ノイズとみなす時間幅を規定し、それに基づきヒステリシス幅を設定すればよい。
【００６５】
なお、ヒステリシスを持った比較は、「省電力モード」と「停止モード」の判定のみでなく、「通常モード」と「省電力モード」の判定にも適用してよい。
（第３の実施例の効果）
第３の実施例では、電池電圧と判定基準電圧との比較にヒステリシスを持たせているので、電池電圧がノイズ等により短期間的に変動しても、比較結果はそれに影響されることがない。それにより、短時間のうちにモード変更が頻繁に起こるといった不安定な動作を防ぐことができる。
【実施例４】
【００６６】
省電力指定情報は省電力モード時の制限機能を指定するものであるが、その指定内容を携帯電話の使用場面によって変えられるようにしてもよい。
【００６７】
図１１は、省電力モード時の制限機能を、使用場面に応じて切り換えられるようにした省電力指定情報の表示画面の例である。この例では、主にカメラによる撮影を行う場面を想定した省電力設定Ａと、主に通常の携帯電話として使用する場面を想定した省電力設定Ｂの、２組の省電力指定情報を備えている。省電力設定Ａでは、カメラとして使用するために、カメラは起動可とし、イルミネーション、バイブレータ動作などを禁止している。逆に、省電力設定Ｂでは、通話、メール送受信のみを行うものとし、カメラ機能は起動不可としている。
【００６８】
図１１の省電力設定Ａ、Ｂの設定内容は一例である。通話専用、カメラ専用以外に、その他の場面を想定した設定を行うことももちろん可能である。
【００６９】
ユーザは、本携帯電話の使用場面に応じて、省電力モード設定画面で、省電力設定Ａ又は省電力設定Ｂを選択する。
【００７０】
なお、省電力設定Ａ、省電力設定Ｂの両方にチェック欄を設け、一方を選択し他方を非選択とするのみでなく、両方を非選択とすることができるようにしてもよい。両方を非選択にした場合は、省電力モードは無効となる。
（第４の実施例の効果）
第４の実施例の省電力モードの指定方法によると、携帯電話の使用場面に応じて、必要な機能は動作制限を行わず、不要な機能は必要に応じて省電力動作を行うという指定を行うことができる。さらに、その設定を一括して行うことができるので、非常に効率的に省電力モード時の設定を行うことができる。特に、使用場面が変わり、「省電力モード」時の設定を全面的に変更したいときに効果的である。
【実施例５】
【００７１】
「省電力モード」では、機能が制限され、起動自体が禁止されているときに、その機能を誤って起動しようとしてしまうことが考えられる。そのようなときのために、アラーム表示を行う第５の実施例を示す。
【００７２】
図１２は、「省電力モード」中に起動が制限されているゲームソフトを起動しようとした場合のアラーム表示の例である。この例では、ゲームソフトが起動できないこと、起動のためには機能制限を解除すべきことを表示している。もちろん、表示内容はこれに限定されない。例えば、省電力モード設定画面へジャンプすることができ、設定の変更を容易にするようなリンクを設けてもよい。
（第５の実施例の効果）
第５の実施例によると、「省電力モード」中に、誤って制限されている機能を起動しようとした場合に、起動できないこととその原因、対応方法などが表示されるので、ユーザは適切な対応策をとることができるという効果がある。
【実施例６】
【００７３】
第６の実施例では、少なくとも一つの機能が「省電力モード」への移行を許可されているとき、そのことを表示しユーザに知らせる。図１３は、電池残量のアイコン表示の一例を示す図である。
【００７４】
「省電力モード」による機能制限は、電池残量が一定以下になった場合に実行される。そのため、「通常モード」にあるときなどは、「省電力モード」への移行が許可されていること（少なくとも１つの機能に「省電力モード」が設定されていること）が認識できない。
【００７５】
そこで、「省」の文字を追加した電池のアイコンをＬＣＤ表示部９に表示する。「省」の文字により、「省電力モード」が許可されていることが容易に認識できる。
（第６の実施例の効果）
第６の実施例によると、いずれかの機能が「省電力モード」での機能制限対象として設定されていることを常に確認することができる。そのため、誤って制限されている機能を起動しようとすることを防ぐことができる。あるいは、ある機能が使用できないとき、その原因が「省電力モード」中であることなどを知ることができる。
【００７６】
また、「省電力モード」に移行していることあるいは「省電力モード」が許可されていることが不適当な場面であれば、「省電力モード」を解除（全ての機能制限を解除）するといった、対応をとることができるという効果がある。
【図面の簡単な説明】
【００７７】
【図１】本発明の最良の実施形態を示すブロック図である。
【図２】本発明の最良の実施形態における省電力指定情報の一例を示す図である。
【図３】本発明の最良の実施形態における省電力指定情報の設定画面の一例を示す図である。
【図４】本発明の最良の実施形態における電池電圧の時間的変化を示すグラフである。
【図５】本発明の最良の実施形態の動作を示すフローチャートである。
【図６】第１の実施例における電池電圧の時間的変化を示すグラフである。
【図７】第１の実施例における省電力指定情報の設定画面の一例を示す図である。
【図８】第２の実施例における電池電圧の時間的変化を示すグラフである。
【図９】第２の実施例における省電力指定情報の設定画面の一例を示す図である。
【図１０】第３の実施例における電池電圧の時間的変化を示すグラフである。
【図１１】第４の実施例における省電力指定情報の設定画面の一例を示す図である。
【図１２】第５の実施例におけるアラーム画面表示の一例を示す図である。
【図１３】第６の実施例における電池残量のアイコン表示の一例を示す図である。
【符号の説明】
【００７８】
１    アンテナ
２    無線部
３    信号処理部
４    スピーカ
５    マイク
６    キー操作部
７    ランプ
８    バイブレータ
９    ＬＣＤ表示部
１０    バックライト
１１    カメラ部
１２    制御部
１３    電池電圧測定部
１４    電池
【図１】
2006352479.tif 000003
【図２】
2006352479.tif 000004
【図３】
2006352479.tif 000005
【図４】
2006352479.tif 000006
【図５】
2006352479.tif 000007
【図６】
2006352479.tif 000008
【図７】
2006352479.tif 000009
【図８】
2006352479.tif 000010
【図９】
2006352479.tif 000011
【図１０】
2006352479.tif 000012
【図１１】
2006352479.tif 000013
【図１２】
2006352479.tif 000014
【図１３】
2006352479.tif 000015